(57)【特許請求の範囲】
【請求項１】
目地部で連結される一対の暗渠と、
前記目地部に変位差が生じても水密性を確保する目地部材と、
一対の前記暗渠の前記目地部を跨ぐ周囲を覆うシート状の被覆部材と、を備える暗渠の連結部構造であって、
前記被覆部材は、少なくとも一方の前記暗渠の周囲上に位置する外面に、土砂の圧力を受け移動抵抗を増大し得る土砂受圧部を有し、
前記土砂受圧部は、前記被覆部材の外面に形成される溝部、凹部、凸部、前記被覆部材幅方向の端部側が厚く中心部側が薄い土圧による楔効果が生じる楔状部のいずれか、又はこれらを組み合わせて構成される、
ことを特徴とする暗渠の連結部構造。
【請求項２】
前記溝部は、前記一対の暗渠の中心軸方向に沿う複数条で構成され、前記複数条の溝部は、少なくとも前記暗渠の角部近傍に対応する位置に形成されて折り曲げ可能に構成されている、
ことを特徴とする請求項１に記載の暗渠の連結部構造。
【請求項３】
前記目地部材は、前記目地部を跨いで一対の前記暗渠に取り付けられる可撓継手で構成される、
ことを特徴とする請求項１または２に記載の暗渠の連結部構造。
【請求項４】
前記目地部材は、前記目地部を跨いで一対の前記暗渠に埋設される止水板で構成される、
ことを特徴とする請求項１または２に記載の暗渠の連結部構造。
【請求項５】
前記目地部材は、前記目地部に充填される弾性シーリング材で構成される、
ことを特徴とする請求項１または２に記載の暗渠の連結部構造。
【請求項６】
前記被覆部材は、少なくとも他方の前記暗渠の外面上に位置する内面に、暗渠との摩擦を軽減する摩擦軽減部材が介挿されている、
ことを特徴とする請求項１乃至５のいずれかに記載の暗渠の連結部構造。
【請求項７】
前記被覆部材は、幅方向両端部の内面に、一体又は別体に土砂侵入防止部材が介挿されている、
ことを特徴とする請求項１乃至６のいずれかに記載の暗渠の連結部構造。
【請求項８】
前記被覆部材は、下部被覆部材と，上部被覆部材と、に分割されており、
前記下部被覆部材は、前記目地部を跨ぐ下側の周囲を覆い、
前記上部被覆部材は、前記目地部を跨ぐ上側の周囲を覆って前記下部被覆部材の端部に重ねられて接合手段で接合されている、
ことを特徴とする請求項１乃至７のいずれかに記載の暗渠の連結部構造。
【請求項９】
前記接合手段は、面ファスナである、
ことを特徴とする請求項８に記載の暗渠の連結部構造。
【発明の詳細な説明】
【技術分野】
【０００１】
本発明は、暗渠の連結部構造に関する。
【背景技術】
【０００２】
堤防などに設置される樋管や樋門などの暗渠の連結部の構造は、例えば特許文献１に記載のものが知られている。
この連結部の構造では、可撓継手を介して連結された暗渠の連結部（目地部）の外周に、ゴムシートなどの可撓性の素材によって形成された帯状の被覆部材が端部を重ね合わせて巻き付けられると共に、被覆部材の幅方向両縁部と暗渠の外周面の間に透水性のパッキン部材が介挿されて構成されていた。被覆部材により、連結部への土砂の侵入を防止することで、暗渠の連結部の変位を許容するようにしている。  
【先行技術文献】
【特許文献】
【０００３】
【特許文献１】特開平０８−６１５７３号公報
【発明の概要】
【発明が解決しようとする課題】
【０００４】
特許文献１の連結部の構造では、被覆部材に作用する土圧による暗渠外周面との摩擦力と、暗渠の連結部の開き（伸び）などによって被覆部材を連結部（目地部）に引き込もうとする引張力とを考慮し、引張力よりも摩擦力が大きくなるようにする必要があり、被覆部材の幅を小さくすることに限界があった。
また、被覆部材は、暗渠の外形に合わせて角部の曲げ加工を予め工場などで行って施工されるのが一般的であるが、現場での暗渠の設置精度や気温などの変化によってゴムの膨張・収縮が起こり、暗渠との間に隙間ができ、土砂が侵入したり、収縮により取り付けが困難になるなどの問題もある。
【０００５】
本発明は、上記従来技術の課題に鑑みてなされたもので、被覆部材の幅を狭くすることができる暗渠の連結部構造を提供することを目的とする。
【課題を解決するための手段】
【０００６】
上記目的を達成するため、本発明に係る暗渠の連結部構造は、
目地部で連結される一対の暗渠と、
前記目地部に変位差が生じても水密性を確保する目地部材と、
一対の前記暗渠の前記目地部を跨ぐ周囲を覆うシート状の被覆部材と、を備える暗渠の連結部構造であって、
前記被覆部材は、少なくとも一方の前記暗渠の周囲上に位置する外面に、土砂の圧力を受け移動抵抗を増大し得る土砂受圧部を有し、
前記土砂受圧部は、前記被覆部材の外面に形成される溝部、凹部、凸部、前記被覆部材幅方向の端部側が厚く中心部側が薄い土圧による楔効果が生じる楔状部のいずれか、又はこれらを組み合わせて構成される、
ことを特徴とする。
前記溝部は、前記一対の暗渠の中心軸方向に沿う複数条で構成され、前記複数条の溝部は、少なくとも前記暗渠の角部近傍に対応する位置に形成されて折り曲げ可能に構成されることが好ましい。
【０００７】
前記目地部材は、前記目地部を跨いで一対の前記暗渠に取り付けられる可撓継手や一対の前記暗渠に埋設される止水板で構成したり、前記目地部に充填される弾性シーリング材で構成することが好ましい。
【００１０】
前記被覆部材は、少なくとも他方の前記暗渠の外面上に位置する内面に、暗渠との摩擦を軽減する摩擦軽減部材が介挿されて構成されることが好ましい。
【００１１】
前記被覆部材は、幅方向両端部の内面に、一体又は別体に土砂侵入防止部材が介挿されて構成されることが好ましい。
【００１２】
前記被覆部材は、下部被覆部材と，上部被覆部材と、に分割されており、前記下部被覆部材は、前記目地部を跨ぐ下側の周囲を覆い、前記上部被覆部材は、前記目地部を跨ぐ上側の周囲を覆って前記下部被覆部材の端部に重ねられて接合手段で接合されて構成されることが好ましい。
【００１３】
前記接合手段は、面ファスナで構成されることが好ましい。
【発明の効果】
【００１４】
本発明の暗渠の連結部構造によれば、被覆部材の幅を狭くすることができる。
【図面の簡単な説明】
【００１５】
【図１】本発明の暗渠の連結部構造の一実施の形態に係る外観斜視図である。
【図２】本発明の一実施の形態に係る横断面図である。
【図３】本発明の一実施の形態に係る目地部の部分断面図である。
【図４】本発明の  実施の形態に係る被覆部材の一部分の外観斜視図である。
【図５】本発明の一実施の形態に係る目地部に作用する土砂圧などの作用状態の説明図である。
【図６】本発明の被覆部材の一部分のそれぞれ他の一実施の形態にかかる外観斜視図である。
【図７】本発明の被覆部材の一実施の形態にかかる一部分の外観斜視図および折り曲げ状態の外観斜視図である。
【図８】本発明の被覆部材の他の一実施の形態にかかる一部分の外観斜視図である。
【発明を実施するための形態】
【００１６】
以下、本発明の暗渠の連結部構造の実施の形態について添付図面を参照して説明する。
本発明の暗渠の連結部構造１００は、目地部３で連結される一対の暗渠１，２と、目地部３に変位差が生じても水密性を確保する目地部材１０と、一対の暗渠１，２の目地部３を跨ぐ周囲を覆うシート状の被覆部材２０と、を備える暗渠の連結部構造１００であって、
被覆部材２０は、少なくとも一方の暗渠１の周囲上に位置する外面２０ａに、土砂の圧力を受け移動抵抗を増大し得る土砂受圧部２１を有して構成されている。
【００１７】
一対の暗渠１，２は、目地部３に変位差が生じても水密性を有する目地部材１０を介して結合されている。目地部材１０は、図３に示すように、例えば、可撓継手１０によって連結されており、可撓継手１０は、暗渠１，２の内周側に配置される。目地部３の外周には、土砂の侵入を防止するゴムシートで構成された被覆部材２０が一対の暗渠１，２を跨いで巻き付けられている。
本実施の形態では、以下、目地部材１０として可撓継手１０を例に説明する。
暗渠１，２の対向する目地部３の端面の間には、暗渠１，２の開口（伸び）、目違い（段差）や折角（曲げ）等の相対変位を許容するための所定間隔の隙間が設定されている。この目地部３の隙間は、内周側の可撓継手１０と外周側の被覆部材２０によって囲まれて暗渠１，２の相対変位にかかわらず常に閉塞された空間となる。
【００１８】
可撓継手１０は、暗渠１，２の周方向に連続し、幅方向両端部にそれぞれ碇着部１１が形成されると共にこの両端部の碇着部１１に挟まれた中央部に内周側に突き出すように屈曲された可撓部１２が形成されている。両端部の碇着部１１は図示しないボルトによってそれぞれ暗渠１，２に固定され、暗渠１，２をその内外をシールしつつ連結している。これにより、可撓継手１０は、可撓部１２の弾性変形でシール状態を保って連結状態の暗渠１，２の変位を許容する。
なお、目地部３に変位差が生じても水密性を確保する目地部材１０としては、上記の可撓継手に限らず、一対の暗渠１，２に可撓性のある止水板の両端部を埋設して構成したり、目地部３に充填される弾性シーリング材で構成するようにしても良く、一対の暗渠１，２の目地部３に変位差が生じても可撓性（弾性）による変位差の吸収と水密性を確保できるものであれば良い。
【００１９】
被覆部材２０は、クロロプレンゴム等の可撓性を有する素材によって帯状に形成され、厚さ方向略中央部に補強繊維が内挿されて補強されている（図５参照）。
被覆部材２０は、長手方向（暗渠１，２の外周に沿う方向）に分割されており、下部被覆部材２２と上部防砂部材２３とで構成されている。
下部被覆部材２２は、目地部３の下側（底部側）から暗渠１，２の両側面の下部を覆うように設けられ、両端部の先端は、内面側（暗渠１，２の側面に当接する側）から外面側に向けて所定の勾配で斜めにカットされている（図２参照）。
上部被覆部材２３は、目地部３の上側（頂面側）と暗渠１，２の両側面を覆い、その両端部は、下部被覆部材２２のカットされた先端部の上側に重ね合わされている。
【００２０】
下部被覆部材２２と上部被覆部材２３との重ね合わせ部は、上部被覆部材２３が下部被覆部材２２の端部の傾斜面に沿って乗り上げ、下部被覆部材２２の上面（外面）と上部被覆部材２３の下面（内面）のそれぞれが対面する位置に接合手段としての面ファスナ２４が取り付けてある。面ファスナ２４を係合することで、下部被覆部材２２と上部被覆部材２３が接合固定される。
面ファスナ２４を用いることで、施工性に優れ、接合部からの土砂の侵入を防止でき、変形の際の追従性も良好となる。
なお、上部被覆部材２３と下部被覆部材２２の接合は、面ファスナ２４に限るものではなく、接着剤による接着等他の接合手段であっても良い。
【００２１】
被覆部材２０（下部被覆部材２２及び上部被覆部材２３）の幅方向両縁部の内面側には、土砂侵入防止部材３０が接着固定されている。この土砂侵入防止部材３０は、暗渠１，２の外周面に圧接されて暗渠１，２の外周面と被覆部材２０との間の隙間を塞いでいる。
土砂侵入防止部材３０は、ジオテキスタイル等の不織布により形成されており、その透水率は土砂等の固形物は透過せず水は透過するように構成されている。このような条件を満たす透水率：Ｋは、例えばＫ＝０．１〜０．０１（ｃｍ／ｓｅｃ）程度である。
なお、この土砂侵入防止部材３０は、予め被覆部材２０に接着固定しておく場合に限らず、別体として施工現場に搬送した後、被覆部材２０に接着固定するようにしても良い。
【００２２】
また、被覆部材２０と、少なくとも一方の暗渠１，２（図示例では、暗渠２）の外周面との間（土砂侵入防止部材３０の配設部位を除く部位）には、摩擦軽減部材４０が介挿されている。
摩擦軽減部材４０は、ポリプロピレン等の樹脂繊維による織布または不織布等の透水性を有する薄いシートであって、その表面の被覆部材２０に対する摩擦係数が、暗渠１，２の外周面の被覆部材２０に対する摩擦係数より十分小さく設定してある。
このような摩擦軽減部材４０が暗渠２の外周面と被覆部材２０との間に介挿されていることで、被覆部材２０は、暗渠２の外周面に直接当接している状態に比較して滑りやすく、過大な引張力が被覆部材２０に加わらない構造となる。
なお、摩擦軽減部材４０は、暗渠１，２の一方の外周面と、被覆部材２０との間に介挿する場合に限らず、暗渠１，２の両方の外周面と、被覆部材２０との間に介挿するようにしても良く、暗渠１，２の相対変位が生じても過大な引張力が被覆部材２０に加わらないようにできれば良い。
【００２３】
このような暗渠の連結部構造１００によれば、目地部３内への土砂の侵入は、暗渠１，２の目地部３を跨いで周囲を覆う被覆部材２０によって防がれる。
また、開口した目地部３上に位置する被覆部材２０には、土圧により目地部３内（目地部３の中心）に引き込むような引張力が加わるが、被覆部材２０が土圧によって暗渠１，２外周面に（一方の暗渠２は摩擦軽減部材４０を介して）圧接されることによる摩擦力によって引き込まれることが防止される。つまり、被覆部材２０を目地部３に引き込むように作用する土圧によって生ずる力より、被覆部材２０の摩擦軽減部材４０との摩擦力の方が大きく、被覆部材２０が目地部３に引き込まれることはないのである。
なお、被覆部材２０は、土圧によって生ずる引張力によって破断しない強度が確保されていることは言うまでもない。
【００２４】
暗渠の連結部構造１００では、基礎地盤の沈下等の地盤変動に際しては、可撓継手１０の可撓部１２が弾性変形し、暗渠１，２は地盤変動に追従して変位する。被覆部材２０は、暗渠１，２の変位に伴って弾性変形すると共に、摩擦軽減部材４０の上を滑って暗渠２に対して移動して目地部３を覆った状態を保つ。
すなわち、暗渠１，２が中心軸方向に近接する方向以外の相対変位（暗渠１，２の開口、目違い、折角）が生じる場合には、被覆部材２０は暗渠２の外周面との間に介挿された摩擦軽減部材４０によって移動に抗する摩擦力が軽減されているために比較的容易に移動することができ、暗渠１，２の相対変位を許容する。これにより、被覆部材２０が暗渠１，２に対して移動して変位に対応することができ、被覆部材２０が無理に引っ張られて破損することが防がれる。
また、暗渠１，２が近接する方向以外の変位では、目地部３の容積が増大して目地部３内が負圧となっても、暗渠１，２の外周面と被覆部材２０の内面との間に隙間が無く、土砂の吸引が起こらず、土砂侵入防止部材３０によって透過した水のみが目地部３内に侵入することがあっても土砂等が侵入することはない。
したがって、目地部３に土砂が詰まってそれ以後の暗渠１，２の近接する変位が不能となることはなく、暗渠１，２は、自由に変位することができる。
【００２５】
この暗渠の連結部構造１００では、被覆部材２０に作用する土砂の圧力を受け移動抵抗（摩擦抵抗）を増大し得る土砂受圧部２１が、少なくとも一方の暗渠１，２の周囲に位置する被覆部材２０の外面２０ａに形成してある。
土砂受圧部２１は、例えば被覆部材２０の幅方向外側の端部の厚さが厚く、幅方向中心側（目地部３側）の厚さが薄くなる傾斜面が突き出す楔状部２１ａで構成される。
この楔状部２１ａを備えた被覆部材２０によれば、被覆部材２０の土砂受圧部２１に土砂の圧力が加わり、土砂に食い込むことにより、楔効果が生じ、被覆部材２０を目地部３内に引き込もうとする引張力に対する移動抵抗を増大することができる。
これにより、楔状部２１ａにより土砂受圧部２１で増大される移動抵抗の分だけ、被覆部材２０の幅を小さくすることが可能となる。また、被覆部材２０の幅をこれまでと同一のままとすれば、一層確実に被覆部材２０の目地部３への引き込みなどを防止して土砂の侵入を防ぐことができる。
すなわち、これまでの暗渠の連結部構造１００では、被覆部材２０に加わる土砂の圧力により被覆部材２０の内面と暗渠１，２の外面との摩擦力について検討されていたが、本発明では、被覆部材２０の外面に加わる土砂の圧力による摩擦力の増大を考慮することで、被覆部材２０の機能向上を図っている。
【００２６】
なお、楔状部２１ａを一方に形成した場合について、モデル化して剪断抵抗力を試算して平坦な場合と比較したところ、摩擦係数が１．３３倍と高くなることを確認した。
試算では、剪断抵抗力Ｑ0は、被覆部材２０に接する面の剪断抵抗力Ｑと受動土圧Ｐaの合力とし、次式で表したものを使用した。
Ｑ0＝Ｑ  ＋  Ｐa＝Ｐ・Ａ・ｔａｎΦＢ＋Ｐa・ｈ・ｂ
ここで、Ｐ：圧縮荷重、Ａ：設置面積（幅ｂ・長さｌ）、ΦＢ：被覆部材２０と地盤との間の摩擦角、ｈ：楔状部２１ａの高さ、である。
なお、モデルでは、ｂ＝２８０ｍｍ、ｌ＝２００ｍｍ、
Ｐa＝Ｐ・ｔａｎ（４５＋Φ／２）、従来の場合のｔａｎΦＢ＝０．６６３とした。
【００２７】
次に、本発明の暗渠の連結部構造１００の他の実施の形態について、図６により説明する。
暗渠の連結部構造１００に用いる被覆部材２０に形成する土砂受圧部２１は、楔状部２１ａで構成する場合に限らず、被覆部材２０の外面２０ａに、凸部２１ｂを形成したもの（図６（ａ）参照）、凹部２１ｃを形成したもの（図６（ｂ）参照）、波形の溝部２１ｄを形成したもの（図６（ｃ）参照）、矩形の溝部２１ｅを形成したもの（図６（ｄ）参照）等によって土砂の圧力を受けて移動抵抗を増大するようにすることもできる。
土砂受圧部２１を構成する凸部２１ｂや凹部２１ｃは、例えば横断面形状が矩形とされて少なくとも一方の暗渠２の幅方向の一端縁の外側に沿って形成される。
なお、凸部２１ｂや凹部２１ｃの形状は、矩形断面とする場合に限らず、円形や楕円形、多角形など他の横断面形状であっても良い。
土砂受圧部２１を構成する波形の溝部２１ｄや矩形の溝部２１ｅは、例えば被覆部材２０の長手方向に沿って被覆部材２０の外面全体に形成される。
なお、波形の溝部２１ｄや矩形の溝部２１ｅは、被覆部材２０の外面全体に形成する場合に限らず、少なくとも一方の暗渠２の幅方向の一端縁の外面に形成すれば良い。
このような凸部２１ｂ、凹部２１ｃ、波形の溝部２１ｄや矩形の溝部２１ｅを形成することで、土砂に凸部２１ｂが食い込んだり、凹部２１ｃや溝部２１ｄ，２１ｅに土砂が食い込むことで、土砂の圧力を受けて移動抵抗が増大することになる。
これにより、凸部２１ｂ、凹部２１ｃ、波形の溝部２１ｄや矩形の溝部２１ｅを形成することにより土砂受圧部２１で増大される移動抵抗の分だけ、被覆部材２０の幅を小さくすることが可能となる。また、被覆部材２０の幅をこれまでと同一のままとすれば、一層確実に被覆部材２０の目地部３への引き込みなどを防止して土砂の侵入を防ぐことができる。
【００２８】
なお、矩形の溝部２１ｅを一方に形成した場合について、モデル化して剪断抵抗力を試算して平坦な場合と比較したところ、摩擦係数が１．１４倍と高くなることを確認した。
試算では、剪断抵抗力Ｑ0は、次式で表したものを使用した。
Ｑ0＝Ｐ・Ａ・ｔａｎΦＢ
ここで、Ｐ：圧縮荷重、Ａ：設置面積、ΦＢ：被覆部材２０と地盤との間の摩擦角、である。
なお、モデルでは、溝頂部の幅を５ｍｍ、溝底部の幅を５ｍｍ、溝深さを５ｍｍとした。
また、従来の場合のｔａｎΦＢ＝０．６６３とした。
【００２９】
次に、本発明の暗渠の連結部構造１００のさらに他の実施の形態について、図７により説明する。
この暗渠の連結部構造１００では、被覆部材２０の土砂受圧部２１が楔状部２１ａと矩形の溝部２１ｅとを組み合わせて構成されている。
矩形の溝部２１ｅは、暗渠１，２の中心軸方向（被覆部材２０の幅方向）に沿って複数条形成してあり、楔状部２１ａは、暗渠１，２の角部近傍を除く被覆部材２０の少なくとも一方の暗渠１の周囲の外面に形成してある。
すなわち、被覆部材２０を暗渠１，２の外側の周囲に取り付ける場合に、暗渠１，２の角部で矩形の溝部２１ｅ部分から折り曲げるようにすることで、予め被覆部材２０に曲げ加工を施しておく必要を無くすことができるようにするもので、楔状部２１ａを角部近傍には、形成しないようにしてある。
したがって、暗渠１，２の設置誤差や被覆部材２０の温度変化などによる伸縮などを考慮して、楔状部２１ａを形成しない部分を設定すれば良いことになる。
このような楔状部２１ａと矩形の溝部２１ｅとを組み合わせた土砂受圧部２１を備えた暗渠の連結構造１００では、楔状部２１ａと矩形の溝部２１ｅとによって、土砂に楔状部２１ａが食い込むことおよび矩形の溝部２１ｅに土砂が食い込むことで、土砂の圧力を受けて移動抵抗が増大することになる。
これにより、楔状部２１ａと矩形の溝部２１ｅとの２つを組み合わせた土砂受圧部２１で増大される移動抵抗の分だけ、被覆部材２０の幅を一層小さくすることが可能となる。
また、被覆部材２０の幅をこれまでと同一のままとすれば、さらに一層確実に被覆部材２０の目地部３への引き込みなどを防止して土砂の侵入を防ぐことができる。
【００３０】
なお、楔状部２１ａと矩形の溝部２１ｅとの２つの土砂受圧部２１を組み合わせる場合には、図８に示すように、楔状部２１ａの外面に、矩形の溝部２１ｅを形成するようにしても良く、楔状部２１ａの外面に矩形の溝部２１ｅを形成することで、楔状部２１ａのいずれの部分でも折り曲げることが可能となり、楔状部２１ａを形成しない部分を設ける必要がなくなる。
これにより、予め被覆部材２０に曲げ加工を施したり、楔状部２１ａを形成しない部分を無くすことで、被覆部材２０の製造が容易となる。
【００３１】
また、上記実施の形態では、少なくとも一方の暗渠１，２の外面に、土砂受圧部２１を形成するようにしたが、両側の暗渠１，２の外面に、土砂受圧部２１を形成するようにしても良い。
また、土砂受圧部２１は、上記各実施の形態で具体的に説明した形状のものを単独で形成する場合に限らず、組み合わせて形成しても良い。
また、摩擦軽減部材４０は、土砂受圧部２１を形成しない側の被覆部材２０と暗渠２との間に介挿する場合に限らず、暗渠１，２の両方に介挿するようにしても良い。
【００３２】
このような暗渠の連結部構造１００の施工方法は、例えば基礎地盤（均しコンクリート）上に下部被覆部材２２を敷設し、その上に暗渠１，２を設置して可撓継手１０にて一対の暗渠１，２を目地部３で連結する。
この後、一対の暗渠１，２の目地部３の上部を上部被覆部材２３で覆って両端部を下部被覆部材２２の端部に、面ファスナ２４で固定する。
このような暗渠の連結部構造１００の施工方法によれば、被覆部材２０を二分割構造としたことにより施工を極めて容易に行うことができる。
【００３３】
以上，具体的に説明したように、本発明の暗渠の連結部構造１００によれば、目地部３で連結される一対の暗渠１，２と、目地部３に変位差が生じても水密性を確保する目地部材１０と、一対の暗渠１，２の目地部３を跨ぐ周囲を覆うシート状の被覆部材２０と、を備える暗渠の連結部構造１００であって、被覆部材２０は、少なくとも一方の暗渠１の周囲上に位置する外面２０ａに、土砂の圧力を受け移動抵抗を増大し得る土砂受圧部２１を有し、土砂受圧部２１は、被覆部材２０の外面に形成される溝部２１ｄ，２１ｅ、凹部２１ｃ、凸部２１ｂ、被覆部材２０の幅方向の端部側が厚く中心部側が薄い土圧による楔効果が生じる楔状部２１ａのいずれか、又はこれらを組み合わせて構成されているので、土砂の圧力により被覆部材２０を移動させる移動抵抗を増大することができ、これにより、被覆部材２０の幅を、土砂受圧部２１を形成してないものに比べ狭くすることができる。
また、被覆部材２０の幅をこれまでと同一のままとすれば、一層確実に被覆部材２０の目地部３への引き込みなどを防止して土砂の侵入を防ぐことができる。
土砂受圧部２１は、被覆部材２０の外面２０ａに形成される溝部２１ｄ，２１ｅ、凹部２１ｃ、凸部２１ｂ、被覆部材２０の幅方向の端部側が厚く中心部側が薄い楔状部２１ａのいずれか、又はこれらを組み合わせて構成されているので、土砂の圧力を有効に作用させることができ、被覆部材２０の幅を、土砂受圧部２１を形成してないものに比べ、一層狭くすることができる。
本発明の暗渠の連結部構造１００によれば、溝部２１ｄ，２１ｅは、一対の暗渠１，２の中心軸方向に沿う複数条で構成され、複数条の溝部２１ｄ、２１ｅは、少なくとも暗渠１，２の角部近傍に対応する位置に形成されて折り曲げ可能に構成されているので、土砂の圧力により被覆部材２０を移動させる移動抵抗を溝部２１ｄ，２１ｅで増大することができ、これにより、被覆部材２０の幅を、土砂受圧部２１を形成してないものに比べ狭くすることができる。
また、被覆部材２０の幅をこれまでと同一のままとすれば、一層確実に被覆部材２０の目地部３への引き込みなどを防止して土砂の侵入を防ぐことができる。
さらに、被覆部材２０の中心軸方向に沿って形成された複数条の溝部２１ｄ，２１ｅによって任意の位置の溝部で曲げることができ、予め曲げ加工をしておくことなく、暗渠１，２への取り付けを容易とすることができる。
【００３４】
本発明の暗渠の連結部構造１００によれば、目地部材１０は、目地部３を跨いで一対の暗渠１，２に取り付けられる可撓継手１０で構成されているので、目地部３に変位差が生じても水密性を確保することができる。
【００３５】
本発明の暗渠の連結部構造１００によれば、目地部材１０は、目地部３を跨いで一対の暗渠１，２に埋設される止水板で構成されているので、目地部３に変位差が生じても水密性を確保することができる。
【００３６】
本発明の暗渠の連結部構造１００によれば、目地部材１０は、目地部３に充填される弾性シーリング材で構成されているので、目地部３に変位差が生じても水密性を確保することができる。
【００３９】
本発明の暗渠の連結部構造１００によれば、被覆部材２０は、少なくとも他方の暗渠２の外面上に位置する内面に、暗渠２との摩擦を軽減する摩擦軽減部材４０が介挿されているので、暗渠１，２の目地部３の相対変位の際に被覆部材２０が暗渠２の外周面に対して容易に滑って過剰な引っ張り力が作用せず、破損を防止することができる。
【００４０】
本発明の暗渠の連結部構造１００によれば、被覆部材２０は、幅方向両端部の内面に、一体又は別体に土砂侵入防止部材３０が介挿されているので、土砂侵入防止部材３０によって隙間を無くすことができ、目地部３への土砂の侵入を防止することができる。これにより、暗渠１，２の相対変位が目地部３に侵入する土砂で阻害されることがない。
【００４１】
本発明の暗渠の連結部構造１００によれば、被覆部材２０は、下部被覆部材２２と、上部被覆部材２３と、に分割されており、下部被覆部材２２は、目地部３を跨ぐ下側の周囲を覆い、上部被覆部材２３は、目地部３を跨ぐ上側の周囲を覆って下部被覆部材２２の端部に重ねられて接合手段２４で接合されているので、被覆部材２０を下部被覆部材２２と上部被覆部材２３に分割することで、基礎地盤上に下部被覆部材２２を敷設して暗渠１，２を施工した後に上部被覆部材２３を設置することで、容易に施工できる。
【００４２】
本発明の暗渠の連結部構造１００によれば、接合手段は、面ファスナ２４であるので、簡単に下部被覆部材２２の端部と上部被覆部材２３の端部を連結して接合することができる。
【符号の説明】
【００４３】
１００    暗渠の連結部構造
１        暗渠
２        暗渠
３        目地部
１０      可撓継手（目地部材）
１１      碇着部
１２      可撓部
２０      被覆部材
２０ａ    外面
２１      土砂受圧部
２１ａ    楔状部
２１ｂ    凸部
２１ｃ    凹部
２１ｄ    波形の溝部
２１ｅ    矩形の溝部
２２      下部被覆部材
２３      上部被覆部材
２４      面ファスナ（接合手段）
３０      土砂侵入防止部材
４０      摩擦軽減部材
【図１】
0006605922.tif 000002
【図２】
0006605922.tif 000003
【図３】
0006605922.tif 000004
【図４】
0006605922.tif 000005
【図５】
0006605922.tif 000006
【図６】
0006605922.tif 000007
【図７】
0006605922.tif 000008
【図８】
0006605922.tif 000009